【手続補正書】
【提出日】平成17年3月10日(2005.3.10)
【手続補正１】
【補正対象書類名】明細書
【補正対象項目名】発明の名称
【補正方法】変更
【補正の内容】
【発明の名称】通信端末装置及び通信方式の通知方法
【手続補正２】
【補正対象書類名】明細書
【補正対象項目名】特許請求の範囲
【補正方法】変更
【補正の内容】
【特許請求の範囲】
【請求項１】
複数の通信方式のうち所定の通信方式に従って無線通信を行う通信手段と、
上記複数の通信方式がそれぞれ有する通信接続に関する条件のうち、最も優れた条件を有する通信方式に対応付けられた所定の通知を行う通知手段と
を具えることを特徴とする通信端末装置。
【請求項２】
上記通知手段は、
上記条件に応じて割り当てられた発光色を表示することにより、最も優れた通信方式に対応付けられた上記通知を行う
ことを特徴とする請求項１に記載の通信端末装置。
【請求項３】
上記条件を上記複数の通信方式にそれぞれ対応したアクセス先から取得する取得手段を具え、
上記通知手段は、上記取得手段により取得した上記通信接続に関する条件のうち、最も優れた条件を有する通信方式に対応付けられた上記通知を行う
ことを特徴とする請求項１に記載の通信端末装置。
【請求項４】
ユーザの操作に基づいて、上記通知手段による上記通知に対応した通信方式を自動で選択する自動選択手段と
を具えることを特徴とする請求項１に記載の通信端末装置。
【請求項５】
複数の通信方式のうち所定の通信方式に従って無線通信を行う通信手段と、
上記複数の通信方式がそれぞれ有する通信接続に関する条件に対して種々の方法による通知が予め設定されており、上記複数の通信方式のうち最も優れた条件を有する通信方式に対応付けられた所定の通知を行う通知手段と
を具えることを特徴とする通信端末装置。
【請求項６】
複数の通信方式のうち所定の通信方式に従って無線通信を行う通信手段と、
上記複数の通信方式がそれぞれ有する通信接続に関する複数の条件のうち、最重視する条件を最重視条件として選択する選択手段と、
上記複数の通信方式のうち、上記選択手段により選択された上記最重視条件が最も優れている通信方式に対応付けられた所定の通知を行うと共に、当該最重視条件が最も優れた通信方式における他の条件にそれぞれ対応付けられた所定の通知を行う通知手段と
を具えることを特徴とする通信端末装置。
【請求項７】
所定の通信方式に従って無線通信を行う通信端末装置における通信方式の通知方法であって、
複数の通信方式の中から、各通信方式が有する通信接続条件のうち最も優れた条件を有する通信方式を選択し、当該選択された通信方式に対応付けられた所定の通知を行う
ことを特徴とする通信方式の通知方法。
【請求項８】
上記所定の通知では、上記通信接続条件に応じて割り当てられた発光色が表示される
ことを特徴とする請求項７に記載の通信方式の通知方法。
【請求項９】
上記通信接続条件は、少なくとも通信コスト、通信速度、接続度及び受信感度のいずれか一つである
ことを特徴とする請求項７又は請求項８に記載の通信方式の通知方法。
【請求項１０】
上記通信接続条件は、各通信方式に対応するアクセス先から予め受信する
ことを特徴とする請求項７乃至請求項９のいずれかに記載の通信方式の通知方法。
【手続補正３】
【補正対象書類名】明細書
【補正対象項目名】０００５
【補正方法】変更
【補正の内容】
【０００５】
【課題を解決するための手段】
かかる課題を解決するため本発明においては、複数の通信方式のうち所定の通信方式に従って無線通信を行う通信手段と、複数の通信方式がそれぞれ有する通信接続に関する条件のうち、最も優れた条件を有する通信方式に対応付けられた所定の通知を行う通知手段とを設けるようにした。
【手続補正４】
【補正対象書類名】明細書
【補正対象項目名】０００６
【補正方法】変更
【補正の内容】
【０００６】
従って通信端末装置では、複数の通信方式がそれぞれ有する通信接続に関する条件のうち、最も優れた条件に対応する通知を行って当該条件の優劣を認識させることにより、通信方式が有する条件の優劣をユーザが予め認識していない場合でも、通信方式を意識させることなく当該条件の優劣に応じて無線通信を行うか否かを判断させることができる。
【手続補正５】
【補正対象書類名】明細書
【補正対象項目名】０００７
【補正方法】変更
【補正の内容】
【０００７】
また本発明においては、複数の通信方式のうち所定の通信方式に従って無線通信を行う通信手段と、複数の通信方式がそれぞれ有する通信接続に関する条件に対して種々の方法による通知が予め設定されており、複数の通信方式のうち最も優れた条件を有する通信方式に対応付けられた所定の通知を行う通知手段とを設けるようにした。
【手続補正６】
【補正対象書類名】明細書
【補正対象項目名】０００８
【補正方法】変更
【補正の内容】
【０００８】
従って通信端末装置では、複数の通信方式がそれぞれ有する通信接続に関する条件のうち、最も優れた条件に対応する通知方法による通知を行って当該条件の優劣を認識させることにより、通信方式が有する条件の優劣をユーザが予め認識していない場合でも、通信方式を意識させることなく当該条件の優劣に応じて無線通信を行うか否かを判断させることができる。
【手続補正７】
【補正対象書類名】明細書
【補正対象項目名】０００９
【補正方法】変更
【補正の内容】
【０００９】
さらに本発明においては、複数の通信方式のうち所定の通信方式に従って無線通信を行う通信手段と、複数の通信方式がそれぞれ有する通信接続に関する複数の条件のうち、最重視する条件を最重視条件として選択する選択手段と、複数の通信方式のうち、選択手段により選択された最重視条件が最も優れている通信方式に対応付けられた所定の通知を行うと共に、当該最重視条件が最も優れた通信方式における他の条件にそれぞれ対応付けられた所定の通知を行う通知手段とを設けるようにする。
【手続補正８】
【補正対象書類名】明細書
【補正対象項目名】００１０
【補正方法】変更
【補正の内容】
【００１０】
従って通信端末装置では、最も優れた最重視条件の通知に加えて、他の条件に対応付けられた所定の通知を行うことにより、通信方式が有する条件の優劣をユーザが予め認識していない場合でも、通信方式を意識させることなく主となる最重視条件の優劣や他の条件を認識させ、無線通信を行うか否かを判断させることができる。
さらに本発明においては、所定の通信方式に従って無線通信を行う通信端末装置における通信方式の通知方法であって、複数の通信方式の中から、各通信方式が有する通信接続条件のうち最も優れた条件を有する通信方式を選択し、当該選択された通信方式に対応付けられた所定の通知を行うようにする。
これにより通信方式の通知方法では、複数の通信方式の中から選択された最も優れた条件の通信接続条件でなる通信方式に対応付けられた所定の通知を行うことができるので、ユーザに通信方式を特に意識させることなく、最も優れた通信接続条件の通信方式が選択されていることを直感的に認識させることができる。
【手続補正９】
【補正対象書類名】明細書
【補正対象項目名】０１８７
【補正方法】変更
【補正の内容】
【０１８７】
さらに第２の実施の形態においては、第１の実施の形態における通信コスト点灯準備処理を実行しないようにした場合について述べたが、本発明はこれに限らず、第１の実施の形態における通信コスト点灯準備処理を実行するようにしても良い。
【手続補正１０】
【補正対象書類名】明細書
【補正対象項目名】０１８９
【補正方法】変更
【補正の内容】
【０１８９】
【発明の効果】
上述のように本発明によれば、複数の通信方式がそれぞれ有する通信接続に関する条件のうち、最も優れた条件に対応する通知を行って当該条件の優劣を認識させることにより、通信方式が有する条件の優劣をユーザが予め認識していない場合でも、通信方式を意識させることなく当該条件の優劣に応じて無線通信を行うか否かを判断させることができ、かくしてユーザが所望する条件を満たした通信方式によってデータ通信を実行させ得る通信端末装置を実現することができる。
【手続補正１１】
【補正対象書類名】明細書
【補正対象項目名】０１９０
【補正方法】変更
【補正の内容】
【０１９０】
また本発明によれば、複数の通信方式がそれぞれ有する通信接続に関する条件のうち、最も優れた条件に対応する通知方法による通知を行って当該条件の優劣を認識させることにより、通信方式が有する条件の優劣をユーザが予め認識していない場合でも、通信方式を意識させることなく当該条件の優劣に応じて無線通信を行うか否かを判断させることができ、かくしてユーザが所望する条件を満たした通信方式によってデータ通信を実行させ得る通信端末装置を実現することができる。
【手続補正１２】
【補正対象書類名】明細書
【補正対象項目名】０１９１
【補正方法】変更
【補正の内容】
【０１９１】
さらに本発明によれば、最も優れた最重視条件の通知に加えて、他の条件に対応付けられた所定の通知を行うことにより、通信方式が有する条件の優劣をユーザが予め認識していない場合でも、通信方式を意識させることなく主となる最重視条件の優劣や他の条件を認識させ、無線通信を行うか否かを判断させることができ、かくしてユーザが所望する条件を満たした通信方式によってデータ通信を実行させ得る通信端末装置を実現することができる。
さらに本発明によれば、複数の通信方式の中から選択された最も優れた条件の通信接続条件でなる通信方式に対応付けられた所定の通知を行うことができるので、ユーザに通信方式を特に意識させることなく、最も優れた通信接続条件の通信方式が選択されていることを直感的に認識させ得る通信方式の通知方法を実現することができる。